(57)【要約】【課題】水室から排出される空気に随伴される水滴又は水塊に影響されない健全な復水器水室空気抜き系統を供給する。【解決手段】実施形態における復水器水室空気抜き装置は、冷却水流入側に設けられた復水器入口水室、および冷却水流出側に設けられた復水器出口水室を有する復水器に用いられる復水器水室空気抜き装置であって、前記復水器入口水室の頂部に接続される入口水室空気抜き管と、前記入口水室空気抜き管に設けられ、冠水時に弁閉する空気抜き弁と、前記復水器入口水室と前記空気抜き弁との間に設けられ、前記復水器入口水室が満水でない状態で前記復水器入口水室から前記入口水室空気抜き管に流入した気体および液体を分離するセパレータと、前記セパレータにより分離した液体を外部に排出するセパレータドレン管とを有する。【選択図】図１
2017203611.tif 000002
【特許請求の範囲】
【請求項１】
冷却水流入側に設けられた復水器入口水室、および冷却水流出側に設けられた復水器出口水室を有する復水器に用いられる復水器水室空気抜き装置であって、
前記復水器入口水室の頂部に接続される入口水室空気抜き管と、
前記入口水室空気抜き管に設けられ、冠水時に弁閉する空気抜き弁と、
前記復水器入口水室と前記空気抜き弁との間に設けられ、前記復水器入口水室が満水でない状態で前記復水器入口水室から前記入口水室空気抜き管に流入した気体および液体を分離するセパレータと、
前記セパレータにより分離した液体を外部に排出するセパレータドレン管と
を備えたことを特徴とする復水器水室空気抜き装置。
【請求項２】
前記復水器出口水室の頂部に接続される出口水室空気抜き管と、
前記出口水室空気抜き管に設けられ、冠水時に弁閉する第２の空気抜き弁と、
前記復水器出口水室と前記第２の空気抜き弁との間に設けられ、前記復水器出口水室が満水でない状態で前記復水器出口水室から前記出口水室空気抜き管に流入した気体および液体を分離して、前記分離した気体を前記出口水室空気抜き管に送る第２のセパレータと、
前記第２のセパレータにより分離した液体を外部に排出する第２のセパレータドレン管と
をさらに備えたことを特徴とする請求項１に記載の復水器水室空気抜き装置。
【請求項３】
前記セパレータドレン管に設けられ、前記復水器入口水室が満水となって前記復水器入口水室の中から空気が排出されたときに弁閉する弁をさらに備えたことを特徴とする請求項１に記載の復水器水室空気抜き装置。
【請求項４】
前記第２のセパレータドレン管に設けられ、前記復水器出口水室が満水になって前記復水器出口水室の中の空気が排出されたときに弁閉する弁をさらに備えたことを特徴とする請求項２に記載の復水器水室空気抜き装置。
【請求項５】
冷却水流入側に設けられた復水器入口水室、および冷却水流出側に設けられた復水器出口水室を備え、かつ、前記復水器入口水室の頂部に接続される入口水室空気抜き管と、前記入口水室空気抜き管に設けられ冠水時に弁閉する空気抜き弁とを備えた復水器に適用される復水器水室空気抜き制御方法であって、
前記復水器入口水室が満水でない状態で前記復水器入口水室から前記入口水室空気抜き管に流入した気体および液体を、セパレータにより分離し、
前記セパレータにより分離した液体を、セパレータドレン管を通じて外部に排出する
ことを特徴とする復水器水室空気抜き制御方法。
【発明の詳細な説明】
【技術分野】
【０００１】
本発明の実施形態は、復水器水室空気抜き装置および復水器水室空気抜き制御方法に関する。
【背景技術】
【０００２】
図３は、一般的な発電プラントの復水器水室空気抜き系統の一例を示す図である。  
図３に示すように、一般的な発電プラントの復水器水室空気抜き系統では、タービン建屋内の復水器１を冷却するための例えば海水などの冷却水は、図示しない復水器入口冷却水管から復水器入口水室２に送られ、この復水器入口水室２から復水器１内の復水器チューブ３を通過して、復水器出口水室４に至る。  
このとき、復水器チューブ３で冷却水と蒸気との間で熱交換する伝熱面積を確保するため、復水器入口水室２と復水器出口水室４とを満水にする必要がある。このため、復水器入口水室２の頂部には入口水室空気抜き管７が配管され、復水器出口水室４の頂部には出口水室空気抜き管８が配管される。
【０００３】
入口水室空気抜き管７と出口水室空気抜き管８には、自動空気抜き弁１１，１２が１対１で設置される。これらの自動空気抜き弁１１，１２は、設置先に対応する水室内の空気のみを排出し、自動空気抜き弁１１，１２自身に水が冠水しようとすると自動的に弁閉する構造になっている。  
自動空気抜き弁１１，１２から排出された空気は、空気タンク１３を介して大気中に排出される。  
復水器入口水室２と復水器出口水室４の満水状態を確認する目的で、入口水室水位計５および出口水室水位計６が設置される。
【先行技術文献】
【特許文献】
【０００４】
【特許文献１】実開昭６０−１８１５７３号公報
【発明の概要】
【発明が解決しようとする課題】
【０００５】
上記の復水器入口水室２から復水器チューブ３に水を通過させて復水器出口水室４を満水にする過程で、入口水室空気抜き管７と出口水室空気抜き管８とには、設置先に対応する水室から高速で排出される空気と、これに随伴される水滴又は水塊とが流れる。
【０００６】
これらの水滴又は水塊は、時として入口水室空気抜き管７内や出口水室空気抜き管８内を閉塞させ、本来は復水器入口水室２や復水器出口水室４が満水でなければ作動しない自動空気抜き弁１１，１２が水滴又は水塊の影響で誤作動を起こし、復水器入口水室２から復水器チューブ３に水を通過させても、復水器出口水室４が満水にならない場合がある。
【０００７】
本発明が解決しようとする課題は、水室から排出される空気に随伴される水滴又は水塊に影響されない健全な復水器水室空気抜き系統を供給することが可能な復水器水室空気抜き装置および復水器水室空気抜き制御方法を提供することである。
【課題を解決するための手段】
【０００８】
実施形態における復水器水室空気抜き装置は、冷却水流入側に設けられた復水器入口水室、および冷却水流出側に設けられた復水器出口水室を有する復水器に用いられる復水器水室空気抜き装置であって、前記復水器入口水室の頂部に接続される入口水室空気抜き管と、前記入口水室空気抜き管に設けられ、冠水時に弁閉する空気抜き弁と、前記復水器入口水室と前記空気抜き弁との間に設けられ、前記復水器入口水室が満水でない状態で前記復水器入口水室から前記入口水室空気抜き管に流入した気体および液体を分離するセパレータと、前記セパレータにより分離した液体を外部に排出するセパレータドレン管とを有する。
【０００９】
実施形態における復水器水室空気抜き制御方法は、冷却水流入側に設けられた復水器入口水室、および冷却水流出側に設けられた復水器出口水室を備え、かつ、前記復水器入口水室の頂部に接続される入口水室空気抜き管と、前記入口水室空気抜き管に設けられ冠水時に弁閉する空気抜き弁とを備えた復水器に適用される復水器水室空気抜き制御方法であって、前記復水器入口水室が満水でない状態で前記復水器入口水室から前記入口水室空気抜き管に流入した気体および液体を、セパレータにより分離し、前記セパレータにより分離した液体を、セパレータドレン管を通じて外部に排出する。
【発明の効果】
【００１０】
本発明によれば、水室から排出される空気に随伴される水滴又は水塊に影響されない健全な復水器水室空気抜き系統を供給することができる。
【図面の簡単な説明】
【００１１】
【図１】実施形態における発電プラントの復水器水室空気抜き系統の一例を示す図。
【図２】実施形態における発電プラントの復水器水室空気抜き系統に配置されるセパレータの一例を示す図。
【図３】一般的な発電プラントの復水器水室空気抜き系統の一例を示す図。
【発明を実施するための形態】
【００１２】
以下、実施形態について図面を用いて説明する。  
図１は、実施形態における発電プラントの復水器水室空気抜き系統の一例を示す図である。  
この復水器水室空気抜き系統では、復水器１の冷却水流入側に復水器入口水室２が設けられ、復水器１の冷却水流出側に復水器出口水室４が設けられる。  
冷却水は、図示しない復水器入口冷却水管から復水器入口水室２に流入し、復水器チューブ３で復水器１内の蒸気と熱交換されて、復水器出口水室４へ流入する。
【００１３】
本実施形態では、復水器入口水室２および復水器出口水室を４を有する復水器に用いられる復水器水室空気抜き装置を備える。この復水器水室空気抜き装置は、入口水室空気抜き管７、出口水室空気抜き管８、セパレータ９，１０、自動空気抜き弁１１，１２、空気タンク１３、セパレータドレン管１４，１５、排水槽１６、および空気作動弁１７，１８を備える。これらについては、以下で順次説明する。
【００１４】
次に、復水器入口水室２側の構成について説明する。  
復水器入口水室２の頂部には入口水室空気抜き管７が配置され、復水器入口水室２と入口水室空気抜き管７との間に入口水室水位計５が設置される。
【００１５】
入口水室空気抜き管７における、復水器入口水室２からみて入口水室水位計５より下流かつ自動空気抜き弁１１より上流、望ましくは自動空気抜き弁１１の直近には、セパレータ９が配置される。図２は、実施形態における発電プラントの復水器水室空気抜き系統に配置されるセパレータの一例を示す図である。図２（ａ）ではセパレータ９の上面が示され、図２（ｂ）ではセパレータ９の側面が示される。  
セパレータ９としては、遠心分離方式等の既存の技術製品を用いることができる。
【００１６】
このセパレータ９は、復水器入口水室２から入口水室空気抜き管７内に流体として気体（空気）と液体（水）が流れ込んだ場合、これらを分離する。
【００１７】
具体的な例としては、セパレータ９の円筒テーパ状の本体９ａには、入口水室空気抜き管７に流入した空気および水の混合物を本体周壁から導入するための導入部９ｂと、分離された空気を本体上端壁の中心部から外部に排出する空気排気部９ｃと、分離された水を本体上端壁の中心部から外部に排出する水排出部９ｄとが設けられる。
【００１８】
導入部９ｂから空気および水の混合物が本体９ａの内部に導入されると、この導入された水の遠心力によって、比重の大きな水が本体９ａの内壁側へ、比重の小さな空気が本体９ａの中心側へ集まる。この結果、分離された空気は、空気排気部９ｃから本体９ａの外部に排気される一方、分離された水は、水排出部９ｄから本体９ａの外部に排出される。
【００１９】
この分離および排気された空気は、自動空気抜き弁１１を通過して、空気タンク１３を介して大気中へ排出される。また、セパレータ９で分離および排出された水は、このセパレータ９に接続されるセパレータドレン管１４を介して排水槽１６に排出される。
【００２０】
次に、復水器出口水室４側の構成について説明する。  
復水器出口水室４の頂部には出口水室空気抜き管８が配置され、復水器出口水室４と出口水室空気抜き管８との間に出口水室水位計６が設置される。
【００２１】
出口水室空気抜き管８における、復水器出口水室４からみて出口水室水位計６より下流かつ自動空気抜き弁１２より上流、望ましくは自動空気抜き弁１２の直近には、セパレータ９と同様の構成であるセパレータ１０が配置される。このセパレータ１０は、復水器出口水室４から出口水室空気抜き管８内に流体として気体と液体が流れ込んだ場合、これらを分離する。この分離された空気は、自動空気抜き弁１２を通過して、空気タンク１３を介して大気中へ排出される。また、セパレータ１０で分離された水は、このセパレータ１０に接続されるセパレータドレン管１５を介して排水槽１６に排出される。  
上記の構成に加え、図１に示すように、復水器入口水室２側のセパレータドレン管１４には空気作動弁１７が設けられる。空気作動弁１７はセパレータ９の直近に設けられることが望ましい。同様に、復水器出口水室４側のセパレータドレン管１５には空気作動弁１８が設けられる。空気作動弁１８はセパレータ１０の直近に設けられることが望ましい。
【００２２】
復水器入口水室２が満水となる前は、空気作動弁１７は弁開となっている。そして、復水器入口水室２が満水となって、この復水器入口水室２内の空気が室外、つまり入口水室空気抜き管７に排出されたタイミングで、制御装置２０が空気作動弁１７を弁閉するシーケンスを実施する。復水器入口水室２が満水となって復水器入口水室２内の空気が室外に排出されたタイミングは、制御装置２０が入口水室水位計５による計測値を用いて判別しても良い。  
同様に、復水器出口水室４が満水となる前は、空気作動弁１８は弁開となっている。そして、復水器出口水室４が満水となって、この復水器出口水室４内の空気が室外、つまり出口水室空気抜き管８に排出されたタイミングで制御装置２０が空気作動弁１８弁を弁閉するシーケンスを実施する。復水器出口水室４が満水となって復水器出口水室４内の空気が室外に排出されたタイミングは、制御装置２０が出口水室水位計６による計測値を用いて判別しても良い。  
復水器入口水室２や復水器出口水室４が満水になった状態で管内に水が流入した場合、この水により管内の水位が上昇する。  
この水位の上昇によりセパレータ９，１０が冠水する。この冠水した水は、セパレータ９，１０による分離後にセパレータドレン管１４，１５における上記のように弁閉した空気作動弁１７，１８の下流には流れず、上記の冠水した水は自動空気抜き弁１１，１２に到達し、この結果、これらの自動空気抜き弁１１，１２が作動することになる。よって、自動空気抜き弁１１，１２の誤作動を防ぎ、かつ自動空気抜き弁１１，１２の正常な作動を妨げないようにすることができる。
【００２３】
以上説明したように、実施形態では、復水器入口水室２や復水器出口水室４が満水になっていない状態での復水器水室空気抜き操作における空気に随伴される水滴又は水塊をセパレータ９，１０により排除することができる。  
さらに、上記のように、セパレータ９，１０により分離された空気は、自動空気抜き弁１１，１２を通過して大気中に排出される。  
上記のように復水器入口水室２や復水器出口水室４が満水になった状態で管内の水位が上昇によりセパレータ９，１０が冠水して管内の水が自動空気抜き弁１１，１２に到達すると、これらの弁が作動する。  
よって、これら自動空気抜き弁１１，１２の誤作動を誘発することなく、健全な復水器水室空気抜き操作が可能になる。
【００２４】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１…復水器、２…復水器入口水室、３…復水器チューブ、４…復水器出口水室、５…入口水室水位計、６…出口水室水位計、７…入口水室空気抜き管、８…出口水室空気抜き管、９，１０…セパレータ、１１，１２…自動空気抜き弁、１３…空気タンク、１４，１５…セパレータドレン管、１６…排水槽、１７，１８…空気作動弁。
【図１】
2017203611.tif 000003
【図２】
2017203611.tif 000004
【図３】
2017203611.tif 000005